(57)【要約】  【課題】  ジョグダイヤルの所望方向および所望角度を選択した後、回転させた指を離すことなく所望位置を確定できるジョグスイッチの提供。  【解決手段】  平面内で回転可能であると共に回転平面と交差方向へ揺動可能なジョグダイヤル２１と、ジョグダイヤル２１の裏面下方に設ける複数の確定スイッチ２５と、ジョグダイヤル２１裏面下方に設けジョグダイヤル２１の回転方向および回転角を検出可能なジョグ動作検出部２２とからなり、ジョグダイヤル２１を揺動させることで確定スイッチ２５を押圧してジョグダイヤル２１の操作を確定させる。【選択図】  図３
2006323692.tif 000002
【特許請求の範囲】
【請求項１】
平面内で回転可能であると共に回転平面と交差方向へ揺動可能なジョグダイヤルと、ジョグダイヤルの裏面下方に設ける複数の確定スイッチと、ジョグダイヤル裏面下方に設けジョグダイヤルの回転方向および回転角を検出可能なジョグ動作検出部とからなり、
ジョグダイヤルを揺動させることで確定スイッチを押圧してジョグダイヤル操作を確定可能なことを特徴とするジョグスイッチ。
【発明の詳細な説明】
【技術分野】
【０００１】
この発明は、カーソルスイッチ付きのジョグスイッチに係り、詳細には、カーソル機能スイッチによってジョグスイッチによる選択の決定が可能なジョグスイッチに関する。
【背景技術】
【０００２】
従来、ジョグスイッチは、ジョグダイヤルを回転操作することによりロータの回転をパルス信号として発生させ、該パルス信号により回転角を検出してスイッチング動作させていた。
図５は従来のジョグスイッチの１例である。図５（ａ）は従来のジョグスイッチの平面図説明図であり、図５（ｂ）は（ａ）の中央断面の説明図である。
図５に表す従来のジョグスイッチ１００は、プリント板ＰＣＢ上に実装され、左右に回転自在に軸支されるジョグダイヤル１０１をプリント基板ＰＣＢ上に回転可能に軸支されてなる。また、ジョグダイヤル１０１の裏側となるプリント板ＰＣＢ上には、ジョグダイヤル１０１の回転方向および回転角度を検出可能なジョグ動作検出部１０２が設けられている。
【０００３】
また、ジョグダイヤル１０１は、ドーナツ状に中央部に開口１０３が設けてあり、該開口１０３には、プッシュ式のセンタースイッチ１０４が設けられている。プッシュ式のセンタースイッチ１０４は、開口１０３の直下に位置するようプリント基板ＰＣＢの上に実装されるスイッチ部１０４ａと、スイッチ部１０４ａの上部に即ち開口１０３に位置されスイッチ部１０４ａをスイッチング可能な押ボタン部１０４ｂとからなる。
このように構成される従来のジョグスイッチ１００は、ジョグダイヤル１０１を回転させると、ジョグ動作検出部１０２がジョグダイヤル１０１の回転方向および回転角を検出し該情報をパルス信号として出力する。
【０００４】
そして、ジョグダイヤル１０１の回転によって、例えば、ディスプレイ上のカーソルがジョグダイヤル１０１の回転方向および回転角によるパルス信号に合わせ移動させ所望の移動位置となった時等、ジョグダイヤル１０１による所定の操作を終了すると、操作者は、ジョグダイヤル１０１の操作に対する実行をさせるため、センタースイッチ１０４を押圧してジョグダイヤル１０１による指示を確定させていた。勿論センタースイッチ１０４以外のスイッチ（図示せず）等を利用することで、ジョグダイヤル１０１によって位置等が確定されて行われる他の動作を実行させることもできる。
【発明の開示】
【発明が解決しようとする課題】
【０００５】
しかしながら、従来例に表すようなジョグスイッチ１００では、ジョグダイヤル１０１の操作を終了した時点で、ジョグダイヤル１０１を回していた指をジョグダイヤル１０１から離してセンタースイッチ１０４や他のスイッチ（図示せず）等を操作する必要があり、ジョグダイヤル１０１の回転動作の精度を有する作業では、ジョグダイヤル１０１から指を離す際に所望していたジョグダイヤル１０１の回転動作とずれてしまい、所定の作業が行えない、あるいは行い難いという問題点を有した。
【０００６】
また、少なくとも従来のジョグスイッチ１００では、ジョグダイヤル１０１による回転方向および角度を確定するための例えばセンタースイッチ１０４のような確定スイッチを設ける必要があり、小さなリモートコントロール装置などに設ける場合には、確定スイッチを操作面に設置するスペースを余分に必要としてしまうという問題点を有した。
【０００７】
この発明は上記のような問題点に鑑み、ジョグダイヤルを所望量回転させた位置で正確にしかも簡単にその回転位置で確定可能であり、確定のための余分なスイッチ等を装置の操作面に設けなくとも確定可能なジョグスイッチを提供する。
【課題を解決するための手段】
【０００８】
そこでこの発明では、ジョグダイヤルの所望操作後にジョグダイヤルから指を離さずとも確定が可能とするため、
【０００９】
平面内で回転可能であると共に回転平面と交差方向へ揺動可能なジョグダイヤルと、ジョグダイヤルの裏面下方に設ける複数の確定スイッチと、ジョグダイヤル裏面下方に設けジョグダイヤルの回転方向および回転角を検出可能なジョグ動作検出部とからなり、
ジョグダイヤルを揺動させることで確定スイッチを押圧してジョグダイヤル操作を確定可能なジョグスイッチ、
【００１０】
を提供する。従ってジョグスイッチでは、ジョグダイヤルを回転平面に所望方向および所望角度回転させた後、ジョグダイヤルを揺動させる。その際ジョグダイヤルの揺動時には操作者はジョグダイヤルから指を外すことなく操作できる。
揺動されたジョグダイヤルは、ジョグダイヤル裏面下部に設置した複数の確定スイッチのうち少なくとも何れかを押圧し、操作者が操作して所望方向および所望角度で確定する。
【発明の効果】
【００１１】
従ってこの発明によれば、ジョグダイヤルの所望方向および所望角度を選択した後、ジョグダイヤルを揺動させることで該選択を確定できるので、ジョグダイヤルから指を外すことなく確実に所望方向および所望角度を確定できるという本願特有の効果を有する。
【００１２】
また、ジョグスイッチを設ける際、ジョグダイヤルによって作業者が操作した所望方向および所望角度回転の確定のためのスイッチが必要ないので、ジョグスイッチ以外に確定スイッチを設けずとも良いので、ジョグスイッチを取付けた操作面に確定用の余分なスイッチを設けるスペースを必要としないので、ジョグスイッチを使用する装置を小型化できるという本願特有の効果を有する。
【発明を実施するための最良の形態】
【００１３】
ジョグスイッチには、円盤状のジョグダイヤルを設ける。該ジョグダイヤルは、平面上、即ちジョグスイッチが取付けられたプリント基板と平行な平面上で回動可能に軸支される。また該ジョグダイヤルは、操作者が押圧することで回転面と交差する方向に揺動可能に設ける。この揺動面は、ジョグダイヤルの全周に亙って自由に揺動可能に設置される。そしてジョグダイヤルの揺動は、クリック感を持って行われ、押圧解除後には、付勢力により回転平面に戻る。
【００１４】
ジョグダイヤルの下面、即ちジョグダイヤル下部となるジョグスイッチが取付けられるプリント基板のジョグダイヤル側表面には、揺動された際にジョグダイヤルによってＯＮ状態とされる確定スイッチを複数設ける。該確定スイッチは、ジョグダイヤルの平面視４５°方向にジョグダイヤルの回転軸から等距離となるように周状に８箇所設ける。
【００１５】
更に、ジョグダイヤル下部となるプリント基板上面には、ジョグダイヤルの回転角度および回転方向を検出可能なジョグ動作検出部を設ける。ジョグ動作検出部は、ジョグダイヤル下部に周状に設ける櫛状の検出突起によって揺動される、ジョグダイヤルの左右回転方向である２方向に揺動可能であって該方向を検出可能なスイッチであり、且つ櫛状の検出突起が揺動させるたびにパルス状にＯＮ・ＯＦＦを繰返してジョグダイヤルの回転角度を検出可能である。
尚、ジョグ動作検出部は、ジョグダイヤル下面のジョグ動作検出部と対向する周上に縞状に模様を付しておき、ジョグ動作検出部から照射したレーザー光の反射を利用して回転方向および回転角度をさせる、光学式の検出部であっても良い。
【実施例１】
【００１６】
以下にこの発明の実施例を図面に基づき説明する。図１はこの発明のジョグスイッチを設けたリモートコントローラを表す正面説明図であり、図２はジョグスイッチを表す説明図であり、図３は図２の中央断面説明図であり、図４は表示状態を表す説明図である。
【００１７】
１はリモートコントローラである。リモートコントローラ１は、図１に表すように、この発明にかかるジョグスイッチ２を設けたもので、実施例では衛星放送を受信可能なテレビのリモートコントローラである。リモートコントローラ１は、テレビのチャンネルを変更可能なチャンネルスイッチや音量調整スイッチ等を設けてあり、またジョグスイッチ２によって各種選択が可能である。
図２はジョグスイッチ２部分を拡大した正面説明図であり、図３は図２の中央断面説明図である。ジョグスイッチ２は、左右に回転可能なジョグダイヤル２１を設ける。ジョグダイヤル２１は、中心に穿設孔を設けた五円硬貨状をした円盤からなり、その表面には回転させやすいように利用者の指が引っ掛かりやすいように凹凸を設けてあり、左右の回転は該穿設孔の中心となるように回転可能、且つ揺動可能にカップ状に形成されたシリコンラバー等によってリモートコントローラ１に支持される。
【００１８】
また、ジョグダイヤル２１の裏面には、その回転軸と同心円となる円周に回転動作指示突起２３を設ける。回転動作指示突起２３は、複数の板状体を所定の等間隔でプリント基板ＰＣＢ側へ突設して構成する。即ち、回転動作指示突起２３は、ドミノ状に等間隔で突設される。
そして、ジョグダイヤル２１の裏面と対向するプリント基板ＰＣＢ上には、ジョグ動作検出部２２を設ける。ジョグ動作検出部２２は、回転動作指示突起２３によってジョグダイヤル２１の回転角度を検出可能である。
【００１９】
即ちジョグ動作検出部２２は、ジョグダイヤル２１の回転方向である２方向にスイッチング可能なカウンタスイッチからなり、そのスイッチング方向および回数によって回転方向および回転角度をカウントするように構成されている。従って、ジョグ動作検出部２２は、図３において回転動作指示突起２３が手前側に移動してくると、即ちジョグダイヤル２１が図２中時計回りに回転されると、検出突起２２ａが手前側に倒れ、検出部本体２２ｂがその倒れた方向にスイッチングされる。そして、回転動作指示突起２３が通過すると再び検出突起２２ａは元に戻り、更に次の回転動作指示突起２３が検出突起２２ａを再び回転方向へ倒すと、検出部本体２２ｂがその倒れた方向にスイッチングされてカウントしていく。このカウントは、ジョグ動作検出部２２では単にパルス状に検出信号を出力することで図示しない制御部がカウントする。また、ジョグダイヤル２１が図３中手前側ではなく奥側へ回転された（図２中では反時計回り）時には、検出突起２２ａは奥側に倒れ、検出部本体２２ｂがその倒れた方向にスイッチングされ、そのスイッチングの信号を出力するように構成されている。
【００２０】
また、ジョグダイヤル２１は、その円周外側をクリック可能に構成される。即ち、図３において、ジョグダイヤル２１の左右に表される円周外側はそれぞれプリント基板ＰＣＢ側へ押圧することで傾斜し、押圧力を解除することで該傾斜が解除される。そして、押圧して傾斜した際にはクリック感を得られるように構成する。この押圧による傾斜は、ジョグダイヤル２１の全外周で可能であり、ジョグダイヤル２１を回転させ所定の状態とさせてる。
【００２１】
更に、ジョグダイヤル２１には、プリント基板ＰＣＢと対向する裏面の外周縁部に、全周にわたってスイッチング突起部２４を突設する。また、プリント基板ＰＣＢ上には、スイッチング突起部２４に対向するようにジョグダイヤル２１の放射方向４５度毎に確定スイッチ２５を設ける。確定スイッチ２５は、押圧されることでオンとなるマイクロスイッチからなり、スイッチング突起部２４によってオンとされる。確定スイッチ２５は、８カ所のいずれか押圧されることで確定信号を出力し、８カ所いずれのスイッチもジョグダイヤル２１による確定動作を検知する。
従って、ジョグダイヤル２１を所望量回転させてからその回転量にて確定させるためにジョグダイヤル２１を傾斜させるように押圧する。するとジョグダイヤル２１は押圧によって傾斜し、スイッチング突起部２４がその押圧された部位に近い確定スイッチ２５を押圧してオンとさせ、該確定スイッチ２５が確定信号を出力する。
この実施例では、確定スイッチ２５を４５度毎に８カ所設置して８カ所にてジョグダイヤル２１の傾斜を検知するようにしたが、９０度毎に４カ所や６０度毎に６カ所等適宜設ければよい。
【００２２】
３はセンタースイッチである。センタースイッチ３は、押圧部３２がジョグダイヤル２１の中央に穿設した穿設孔部に設け、押圧部３２に対向するプリント基板ＰＣＢ上にはマイクロスイッチからなるスイッチ本体３１を設ける。従って、センタースイッチ３は、押圧部３２を押圧することでマイクロスイッチからなるスイッチ本体３１をオンにしてオン信号を出力可能である。
【００２３】
このように構成するジョグスイッチ２は、リモートコントローラ１の制御部とプリント基板ＰＣＢ上で電気的に接続され、ジョグ動作検出部２２の検出した回転方向および回転角度の信号や確定スイッチ２５の確定信号に基づいて、例えば、ジョグダイヤル２１の回転に伴って、図４に表すようにテレビ画面上で「○○○」で表す情報を、矢印のようにその回転方向によって上下にスクロールし所望の情報が選択されたところでジョグダイヤル２１を傾斜させることで確定スイッチ２５をオンとさせ確定させる。
上記実施例では、ジョグダイヤル２１に対向してプリント基板ＰＣＢ上に設けるジョグ動作検出部２２およびジョグダイヤル２１の裏面に設ける回転動作指示突起２３によって、ジョグダイヤル２１の回転量および回転方向を検出するように構成したが、ジョグ動作検出部２２を光センサーによって構成し、ジョグダイヤル２１の裏面には回転動作指示突起２３に代えてスリット状に黒い模様をその円周方向に設け、ジョグダイヤル２１が回転された際に光センサーが通過したスリット模様の数をカウントして出力するように工学的な検出スイッチとしてジョグダイヤル２１の回転方向および回転角度を検出するように構成する等他の構成としてもよい。
尚、この実施例ではジョグスイッチ２をリモートコントローラ１に設けたが、パソコンのキーボードや携帯電話等他の装置に設けてもよい。
【産業上の利用可能性】
【００２４】
従って、この発明にかかるジョグスイッチは、リモートコントローラのみならず携帯電話やキーボード等、あらゆる入力装置として利用できるので、家電製品のスイッチ、自動車のスイッチ等、回転動作を行うことで所望の位置へ移動させ、該位置を確定するスイッチとして利用可能である。
【図面の簡単な説明】
【００２５】
【図１】ジョグスイッチを設けたリモートコントローラを表す正面説明図
【図２】ジョグスイッチを表す説明図
【図３】図２の中央断面説明図
【図４】表示状態を表す説明図
【図５】従来のジョグスイッチの１例を表し、（ａ）は従来のジョグスイッチの平面図説明図、（ｂ）は（ａ）の中央断面の説明図
【符号の説明】
【００２６】
１  リモートコントローラ
２  ジョグスイッチ
２１  ジョグダイヤル
２２  ジョグ動作検出部
２２ａ  検出突起
２２ｂ  検出部本体
２３  回転動作指示突起
２４  スイッチング突起部
２５  確定スイッチ
３  センタースイッチ
３１  スイッチ本体
３２  押圧部
【図１】
2006323692.tif 000003
【図２】
2006323692.tif 000004
【図３】
2006323692.tif 000005
【図４】
2006323692.tif 000006
【図５】
2006323692.tif 000007